(57)【要約】【課題】船舶浸水時に当該船舶に十分な浮力を与え沈没を防止することで、乗員が船体に掴まって救助を待つことを可能にする小型船舶沈没防止用浮器を提供する。【解決手段】バルーン２は、互いに連通する隔室２Ａ〜２Ｃからなり、折り畳み可能である。包装部材６は、互いに分裂して展開すること及び一部が集成して容器を形成することが可能なフラップ６Ａ〜６Ｅからなる。バルーン２は、船舶非有事の際には、収縮し折り畳まれて容器内に収容される。バルーン２は、船舶有事の際には、フラップ６Ｄに取り付けられたボンベ４からガス供給管５を介してガス導入することにより膨張し、容器を構成するフラップ６Ａ〜６Ｄを分裂展開させる。フラップ６Ｅに船体への取り付け手段としての係合孔８が形成されている。フラップ６Ａ〜６Ｄには、それらの集成状態を一時的に維持するための係止具としてのマジックテープ(登録商標）７Ａ〜７Ｄが付設されている。【選択図】図１
2009161065.tif 000002
【特許請求の範囲】
【請求項１】
バルーンと、該バルーンの内部に送給されるガスを収納せるボンベと、前記バルーン及びボンベに接続され且つこれらの収容が可能な包装部材と、該包装部材に設けられた船体への取り付け手段とを備え、
前記バルーンは折り畳み可能であり、
前記包装部材は、互いに分裂して展開すること及び少なくとも一部が集成して容器を形成することが可能な複数のフラップからなり、
前記バルーンは、船舶非有事の際には、収縮し折り畳まれて前記容器内に収容され、船舶有事の際には、前記ボンベからのガス導入により膨張して、前記容器を構成する複数の前記フラップを分裂展開させることを特徴とする小型船舶沈没防止用浮器。
【請求項２】
前記船体への取り付け手段は、前記包装部材のフラップのうちの１つに形成された係合孔からなることを特徴とする、請求項１に記載の小型船舶沈没防止用浮器。
【請求項３】
前記フラップのうちの一部には、それらの集成状態を一時的に維持するための係止具が付設されていることを特徴とする、請求項１〜２のいずれか一項に記載の小型船舶沈没防止用浮器。
【請求項４】
前記バルーンは、複数の互いに連通する隔室を有していることを特徴とする、請求項１〜３のいずれか一項に記載の小型船舶沈没防止用浮器。
【発明の詳細な説明】
【技術分野】
【０００１】
本発明は、小型船舶に搭載され、船舶内部への浸水に際して当該船舶の沈没を防止するための安全設備乃至救命設備としての浮器に関する。
【背景技術】
【０００２】
船舶には、救命設備の１つとして救命胴衣等の救命具が備えられている。例えば、特開２００２−１８７５９４号公報（特許文献１）には、通常状態では作業の邪魔になることがなく、落水の際には所要の浮力を発生して良好に救命機能を発揮し得る救命具として、人体装着用ベルトに取り付けられたケースにガスボンベを収容し、また、ケース内にエアバッグを折り畳んで収容し、該エアバッグのガス導入口とガスボンベとを接続しておき、落水時にガスボンベからエアバッグへとガスを導入し、エアバッグを膨張させて所要の浮体となすようにしたものが開示されている。
【０００３】
このように、船舶沈没の有事の際にガス導入により浮体を形成することで所要の作用を得るようにした装置としては、更に、特開平８−１９８１８０号公報（特許文献２）に記載されているような遭難沈没船用位置標識装置がある。この装置では、所要長の細紐により船体と折り畳み型浮体とを繋いでおき、船舶沈没の際に、折り畳み型浮体にガスボンベからガスを導入し、浮体を膨らませて海面に浮かばせることで、遭難沈没船の位置の標識としている。
【特許文献１】特開２００２−１８７５９４号公報
【特許文献２】特開平８−１９８１８０号公報
【発明の開示】
【発明が解決しようとする課題】
【０００４】
ところで、船舶沈没の危険性があるときには、当該船舶の乗員は、救命具を着用して船舶から離脱するのが、普通である。しかし、船舶が浸水したとしても、沈没せず浮遊状態を維持できれば、乗員は当該船舶に掴まり係留して救助を待つことができる。従って、有事に際して、船舶を沈没させずに浮遊状態に維持する方が、乗員の安全性は高くなる。この退避か船舶係留かの判断の分岐点は、当該船舶の沈没が確実に防止されるか否かにかかっている。
【０００５】
また、船舶火災に際して、消火により船舶が浸水すると沈没の危険性が高まるため、消火作業を十分迅速に行うことがためらわれる場合がある。しかし、このような場合においても、当該船舶が浸水によって沈没しないことが確保されれば、迅速なる注水を行うことで迅速な消火が可能となり、乗員の安全性も高められる。
【０００６】
大型の船舶についてはさておき、少なくとも小型の船舶（例えば排水量１０トン以下）については、浸水による沈没を防止することができれば、乗員の安全性は飛躍的に高められる。
【０００７】
しかるに、浸水に際して船舶の沈没を防止するための、船舶搭載用の簡易な設備は、従来提案されていない。
【０００８】
本発明は、以上のような技術的課題に鑑みて、特に小型の船舶に搭載して、船舶浸水時に当該船舶に十分な浮力を与え沈没を防止することで、乗員が船体に掴まって救助を待つことを可能にする小型船舶沈没防止用浮器を提供することを目的とするものである。
【課題を解決するための手段】
【０００９】
本発明によれば、以上の如き目的を達成するものとして、
バルーンと、該バルーンの内部に送給されるガスを収納せるボンベと、前記バルーン及びボンベに接続され且つこれらの収容が可能な包装部材と、該包装部材に設けられた船体への取り付け手段とを備え、
前記バルーンは折り畳み可能であり、
前記包装部材は、互いに分裂して展開すること及び少なくとも一部が集成して容器を形成することが可能な複数のフラップからなり、
前記バルーンは、船舶非有事の際には、収縮し折り畳まれて前記容器内に収容され、船舶有事の際には、前記ボンベからのガス導入により膨張して、前記容器を構成する複数の前記フラップを分裂展開させることを特徴とする小型船舶沈没防止用浮器、
が提供される。
【００１０】
本発明の一態様においては、前記船体への取り付け手段は、前記包装部材のフラップのうちの１つに形成された係合孔からなる。本発明の一態様においては、前記フラップのうちの一部には、それらの集成状態を一時的に維持するための係止具が付設されている。本発明の一態様においては、前記バルーンは、複数の互いに連通する隔室を有している。
【発明の効果】
【００１１】
本発明によれば、船舶浸水時に当該船舶に十分な浮力を与え沈没を防止することで、乗員が船体に掴まって救助を待つことを可能にする小型船舶沈没防止用浮器が提供される。
【発明を実施するための最良の形態】
【００１２】
以下、図面を参照しながら本発明の具体的な実施の形態を説明する。
【００１３】
図１は本発明による小型船舶沈没防止用浮器の一実施形態のバルーン膨張及びフラップ分裂展開状態を示す斜視図であり、図２はそのバルーン収縮及びフラップ分裂展開状態を示す断面図である。また、図３〜図８は、バルーン収縮及びフラップ分裂展開の状態から、バルーンを折り畳み且つフラップの一部を集成して容器を形成し該容器内にバルーンを収容した状態とする過程を説明するための斜視図である。    
【００１４】
本実施形態の浮器は、バルーン２と、該バルーンの内部にガス供給管５を介して送給されるガスを収納せるボンベ４と、バルーン２及びボンベ４に接続され且つこれらの収容が可能な包装部材６と、該包装部材に設けられた船体への取り付け手段８とを備える。
【００１５】
バルーン２は、ゴム引き防水布などのガス不透過性の布等からなり、折り畳み可能である。バルーン２は、複数の互いに連通する隔室２Ａ，２Ｂ，２Ｃを有している。このように、バルーン２を複数の隔室からなるものとすることで、全体形状の変形の自由度が高まり、後述のようにバルーンが船体内で膨張したときに、船体内部空間の形状に応じた適宜のバルーン形状をとることが容易になる。また、変形の自由度が高まることから、バルーンが船内での乗員の移動の邪魔になりにくいという利点もある。
【００１６】
包装部材６は、互いに分裂して展開すること及び少なくとも一部が集成して容器を形成することが可能な複数のフラップ６Ａ，６Ｂ，６Ｃ，６Ｄ，６Ｅからなる。フラップ６Ａの一端縁とフラップ６Ｄの一端縁とフラップ６Ｅの一端縁とは互いに接続されており、これらの一端縁にバルーン２の端縁の一部（具体的には隔室２Ｂを構成する端縁の一部）が接続されている。但し、図２では、図示の都合上、故意に、フラップ６Ａの一端縁及びフラップ６Ｅの一端縁とバルーン２の端縁との接続位置を、本来の位置からずらして（すなわち、フラップ６Ｄの一端縁とバルーン２の端縁との接続位置からずらして）示している。
【００１７】
また、フラップ６Ａの他の端縁の一部とフラップ６Ｂの一端縁とが互いに接続されており、フラップ６Ａの更に別の端縁の一部とフラップ６Ｃの一端縁とが互いに接続されている。各フラップは、上記接続端縁の部分において他のフラップに対して屈曲可能であり、また各フラップ自体が適度の屈曲性を有する。フラップ６Ａ，６Ｂ，６Ｃ，６Ｄのそれぞれには、他のフラップとの一時的係合により容器を形成するための係止具としてのマジックテープ（登録商標）７Ａ，７Ｂ，７Ｃ，７Ｄが付設されている。
【００１８】
ボンベ４はフラップ６Ｄに取り付けられている。また、ボンベ４とガス供給管５との間には、開閉弁が介在しており、この開閉弁は操作索１０を引くことで開放される。尚、開閉弁操作索１０は、一部の図では図示されていない。船体への取り付け手段８は、フラップ６Ｅに形成された係合孔からなる。
【００１９】
図３に示されるバルーン収縮及びフラップ分裂展開の状態において、水平方向の一点鎖線を中心として、それより下のバルーン部分を上方へと折り返すことで、図４に示される状態となる。
【００２０】
図４に示される状態において、いくつかの垂直方向の一点鎖線を中心として、バルーンを横方向に折り返すことで、図５に示される状態となる。図５の状態では、バルーン２が最終的に折り畳まれている。
【００２１】
図５に示される状態において、包装部材６のフラップ６Ａを、バルーン２との接続端縁において折り返すことで、図６に示される状態となる。
【００２２】
図６に示される状態において、包装部材６のフラップ６Ｂ，６Ｃをそれぞれフラップ６Ａとの接続端縁において折り返し、更にフラップ６Ａの一部をバルーン２を包むように折り返すことで、図７に示される状態となる。図７の状態では、マジックテープ(登録商標）７Ｂ，７Ｃが互いに接合される。
【００２３】
図７に示される状態において、包装部材６のフラップ６Ａの一部を更に屈曲させ、フラップ６Ｄを、バルーン２との接続端縁において折り返すことで、図８に示される状態となる。図８の状態では、マジックテープ(登録商標）７Ａ，７Ｄが互いに接合される。この状態では、包装部材６のフラップ６Ａ，６Ｂ，６Ｃ，６Ｄは、集成して容器を形成しており、該容器内に収縮し折り畳まれたバルーン２及びガスボンベ４が収容され、開閉弁操作索１０は容器外に延出している。
【００２４】
通常時すなわち船舶非有事の際には、浮器は、図８に示される状態にて、船体に取り付けられる。この取り付けは、フラップ６Ｅに設けられた係合孔８に、船体側に設けられた係止部材を挿通させることで行うことができる。この浮器が取り付けられる船体の部位は、特に船体内部であることが好ましい。
【００２５】
船舶内への浸水が引き起こされる船舶有事の際には、図８に示される状態において、乗員が開閉弁操作索１０を引くことで、ボンベ４からバルーン２へとガスが導入される。これにより、バルーン２が膨張して、容器を構成するフラップ６Ａ，６Ｂ，６Ｃ，６Ｄを分裂展開させる。かくして、図８に示される状態から、図７、図６、図５、図４及び図３に示される状態（但し各隔室２Ａ，２Ｂ，２Ｃ内は、次第にガスが導入されて膨張する）を経て、図１に示される状態となる。これにより、所要の浮力が得られる。
【００２６】
船体に取り付ける浮器の大きさ及び個数は、当該船体の沈没の防止に要する浮力を勘案して、適宜設定することができる。尚、船内火災の際には、一部の浮器が使用不能となることがあるので、浮器の大きさ及び個数の設定は、その分を見込んで、余裕を持ってなされるのが好ましい。
【００２７】
以上のような本発明実施形態の小型船舶沈没防止用浮器によれば、例えば船内火災などの有事の際にも、火災発生部位が水没するまで迅速に船内に注水して迅速に消火することができる。その際にも、浮器を作動させバルーンを膨張させることで、船舶の沈没を防止できる浮力が得られるので、乗員が消火された船体に掴まって救助を待つことが可能になる。
【図面の簡単な説明】
【００２８】
【図１】本発明による小型船舶沈没防止用浮器の一実施形態のバルーン膨張及びフラップ分裂展開状態を示す斜視図である。
【図２】図１の浮器のバルーン収縮及びフラップ分裂展開状態を示す断面図である。
【図３】図１の浮器を、バルーン収縮及びフラップ分裂展開の状態から、バルーンを折り畳み且つフラップを集成して容器を形成し該容器内にバルーンを収容した状態とする過程を説明するための斜視図である。
【図４】図１の浮器を、バルーン収縮及びフラップ分裂展開の状態から、バルーンを折り畳み且つフラップを集成して容器を形成し該容器内にバルーンを収容した状態とする過程を説明するための斜視図である。
【図５】図１の浮器を、バルーン収縮及びフラップ分裂展開の状態から、バルーンを折り畳み且つフラップを集成して容器を形成し該容器内にバルーンを収容した状態とする過程を説明するための斜視図である。
【図６】図１の浮器を、バルーン収縮及びフラップ分裂展開の状態から、バルーンを折り畳み且つフラップを集成して容器を形成し該容器内にバルーンを収容した状態とする過程を説明するための斜視図である。
【図７】図１の浮器を、バルーン収縮及びフラップ分裂展開の状態から、バルーンを折り畳み且つフラップを集成して容器を形成し該容器内にバルーンを収容した状態とする過程を説明するための斜視図である。
【図８】図１の浮器を、バルーン収縮及びフラップ分裂展開の状態から、バルーンを折り畳み且つフラップを集成して容器を形成し該容器内にバルーンを収容した状態とする過程を説明するための斜視図である。
【符号の説明】
【００２９】
２  バルーン
２Ａ，２Ｂ，２Ｃ  隔室
４  ガスボンベ
５  ガス供給管
６  包装部材
６Ａ，６Ｂ，６Ｃ，６Ｄ，６Ｅ  フラップ
７Ａ，７Ｂ，７Ｃ，７Ｄ  マジックテープ(登録商標）
８  船体への取り付けのための係合孔
１０  開閉弁操作索
【図１】
2009161065.tif 000003
【図２】
2009161065.tif 000004
【図３】
2009161065.tif 000005
【図４】
2009161065.tif 000006
【図５】
2009161065.tif 000007
【図６】
2009161065.tif 000008
【図７】
2009161065.tif 000009
【図８】
2009161065.tif 000010